(57)【特許請求の範囲】
【請求項１】
不透明反射層（２）と、
前記不透明反射層上に配置された透明樹脂層（３）と、
前記透明樹脂層上に部分的に配置された印刷加飾層（４）とを備え、
前記印刷加飾層（４）は、
光遮蔽材料で構成されて前記透明樹脂層上に部分的に配置され、影を前記不透明反射層の表面（２ａ）上に形成可能な第１影形成部（２１）と、
前記第１影形成部との光透過率の差が少なくとも１０％以上であり、かつ、前記透明樹脂層上に部分的に配置され、前記透明樹脂層を透過する光により前記第１影形成部で形成される前記影よりも薄い影を前記不透明反射層の前記表面上に形成可能なように光が透過する光透過材料で構成された第２影形成部（２２）とを有するとともに、
前記第１影形成部と前記第２影形成部と前記不透明反射層とは同系色であり、
前記第１影形成部と前記第２影形成部とは、前記透明樹脂層内で前記不透明反射層の前記表面と平行な１つの平面上に配置されるとともに、
前記第１影形成部と前記第２影形成部とが交差する部分において、前記第１影形成部に対して前記第２影形成部が途切れるように配置している、加飾転写シート。
【請求項２】
前記第１影形成部と前記第２影形成部と前記不透明反射層とは同系色であり、
前記第１影形成部と前記第２影形成部とは、前記透明樹脂層内で前記不透明反射層の前記表面と平行な１つの平面上に配置されるとともに、
前記第１影形成部と前記第２影形成部とが交差する部分において、前記第１影形成部に対して前記第２影形成部が途切れるように配置している構成により、前記第１影形成部が前記第２影形成部よりも前記不透明反射層の前記表面に対して、前記第１影形成部が前記第２影形成部から浮き出て見える、請求項１に記載の加飾転写シート。
【請求項３】
前記第１影形成部と前記第２影形成部と前記不透明反射層とは白色の同系色であり、前記不透明反射層（２）は白色の不透明反射層である、請求項１又は２に記載の加飾転写シート。
【請求項４】
前記第１影形成部は、白色隠蔽層付きのパール加飾層（３１）と、白色加飾層（３２）と、グレー色加飾層（３３）とを有するとともに、前記第２影形成部は、薄パール加飾層（３４）と、乳白色加飾層（３５）とを有し、
前記白色隠蔽層付きのパール加飾層（３１）は、パール層（３１ａ）の底部に白色隠蔽層（３１ｂ）を有し、前記透明樹脂層の前記１つの平面上に部分的に配置され、前記不透明反射層の前記表面上に第１影（３１ｓ）を形成して、最も手前側に位置するように見え、
前記白色加飾層（３２）は、前記透明樹脂層の前記１つの平面上に部分的に配置され、白色インキにより構成して光遮蔽機能を発揮し、前記不透明反射層の前記表面上に第２影（３２ｓ）を形成して、二番目に手前側に位置するように見える層であり、
前記グレー色加飾層（３３）は、前記透明樹脂層の前記１つの平面上に部分的に配置され、グレー色のインキにより構成して光遮蔽機能を発揮し、前記不透明反射層の前記表面上に第３影（３３ｓ）を形成して、三番目に手前側に位置するように見える層であり、
前記薄パール加飾層（３４）は、前記透明樹脂層の前記１つの平面上に部分的に配置され、光透過材料で構成された薄いパール色の層であり、光透過機能を発揮し、前記不透明反射層の前記表面上に第４影（３４ｓ）を形成して、前記グレー色加飾層（３３）より奥側に位置するように見える層であり、
前記乳白色加飾層（３５）は、前記透明樹脂層の前記１つの平面上に部分的に配置され、光透過材料で構成された乳白色の層であり、光透過機能を発揮し、前記不透明反射層の前記表面上に第５影（３５ｓ）を形成して、最も奥側に位置するように見える層であるとともに、
前記第１影と前記第２影と前記第３影は実質的に同等の濃さであるか、又は、前記グレー色加飾層の前記第３影が最も濃く、前記パール加飾層の前記第１影と前記白色加飾層の前記第２影とは同じ濃さ程度であり、明度としては、前記パール加飾層が最も高く、次いで、前記白色加飾層で、次に前記グレー色加飾層の順に高い、請求項１〜３のいずれか１つに記載の加飾転写シート。
【請求項５】
前記第１影形成部は、白色加飾層（３２）と、グレー色加飾層（３３）とを有するとともに、前記第２影形成部は、乳白色加飾層（３５）とを有し、
前記白色加飾層（３２）は、前記透明樹脂層の前記１つの平面上に部分的に配置され、白色インキにより構成して光遮蔽機能を発揮し、前記不透明反射層の前記表面上に第２影（３２ｓ）を形成して、最も手前側に位置するように見える層であり、
前記グレー色加飾層（３３）は、前記透明樹脂層の前記１つの平面上に部分的に配置され、グレー色のインキにより構成して光遮蔽機能を発揮し、前記不透明反射層の前記表面上に第３影（３３ｓ）を形成して、二番目に手前側に位置するように見える層であり、
前記乳白色加飾層（３５）は、前記透明樹脂層の前記１つの平面上に部分的に配置され、光透過材料で構成された乳白色の層であり、光透過機能を発揮し、前記不透明反射層の前記表面上に第５影（３５ｓ）を形成して、最も奥側に位置するように見える層であるとともに、
前記第２影と前記第３影は実質的に同等の濃さであるか、又は、前記グレー色加飾層の前記第３影が前記白色加飾層の前記第２影より濃く、明度としては、前記白色加飾層が前記グレー色加飾層よりも高い、請求項１〜３のいずれか１つに記載の加飾転写シート。
【請求項６】
前記第１影形成部は、白色隠蔽層付きのパール加飾層（３１）と、グレー色加飾層（３３）とを有するとともに、前記第２影形成部は、薄パール加飾層（３４）とを有し、
前記白色隠蔽層付きのパール加飾層（３１）は、パール層（３１ａ）の底部に白色隠蔽層（３１ｂ）を有し、前記透明樹脂層の前記１つの平面上に部分的に配置され、前記不透明反射層の前記表面上に第１影（３１ｓ）を形成して、最も手前側に位置するように見え、
前記グレー色加飾層（３３）は、前記透明樹脂層の前記１つの平面上に部分的に配置され、グレー色のインキにより構成して光遮蔽機能を発揮し、前記不透明反射層の前記表面上に第３影（３３ｓ）を形成して、二番目に手前側に位置するように見える層であり、
前記薄パール加飾層（３４）は、前記透明樹脂層の前記１つの平面上に部分的に配置され、光透過材料で構成された薄いパール色の層であり、光透過機能を発揮し、前記不透明反射層の前記表面上に第４影（３４ｓ）を形成して、最も奥側に位置するように見える層であるとともに、
前記第１影と前記第３影は実質的に同等の濃さであるか、又は、前記グレー色加飾層の前記第３影が前記パール加飾層の前記第１影よりも濃く、明度としては、前記パール加飾層が前記グレー色加飾層よりも高い、請求項１〜３のいずれか１つに記載の加飾転写シート。
【発明の詳細な説明】
【技術分野】
【０００１】
本発明は、各種機器又は設備などの表面に配置され、薄肉であるにもかかわらず、厚さ以上の奥行き感を感じさせることができる加飾転写シートに関する。
【背景技術】
【０００２】
各種電子機器などにおいて、高機能化の開発競争が激しさを増す一方で、その外面の意匠についても差別化を図るべく開発が行なわれるようになってきており、従来に無い画期的な意匠が求められるようになってきている。
【０００３】
そこで、三次元的な意匠を考えた場合、従来は、多数の加飾層を厚み方向の位置を異ならせて、三次元的な意匠を形成するようにしている。
【０００４】
例えば、図９に示す化粧板シートのように、背景色となる着色された樹脂層８０の上に、手前側から底部側に向けて、第１加飾層８１と、第１加飾層８１の内側に第２加飾層８２と、第２加飾層８２の内側に第３加飾層８３と、第３加飾層８３の内側に第４加飾層８４とを配置したのち、樹脂層８０上に、第１加飾層８１と第２加飾層８２と第３加飾層８３と第４加飾層８４とを覆うように透明樹脂層８５を形成したものが考えられる。このようなものでは、透明樹脂層８５内の最も底部の樹脂層８０の上に、第１加飾層８１と第２加飾層８２と第３加飾層８３と第４加飾層８４とが手前側から底部側に向けて順に配置されているように見える。
【０００５】
また、図１０に示すように、成形樹脂層９１の表面に第１加飾層９２が配置され、裏面に第２加飾層９３が配置された射出成形同時加飾品９０がある。この射出成形同時加飾品９０でも、成形樹脂層９１内で手前側と底部側とに加飾層の位置を異ならせて配置して、立体的に見せるようにしたものがある（特許文献１を参照）。
【先行技術文献】
【特許文献】
【０００６】
【特許文献１】特開２００５−１０３９９３号公報
【発明の概要】
【発明が解決しようとする課題】
【０００７】
しかしながら、前記構造のものでは、樹脂層８０上での、第１加飾層８１と第２加飾層８２と第３加飾層８３と第４加飾層８４とのそれぞれの厚さ方向の位置を異ならせるものであり、樹脂層８０の厚さＴ０と、第１加飾層８１の厚さＴ１と、第２加飾層８２の厚さＴ２と、第３加飾層８３の厚さＴ３と、第４加飾層８４の厚さＴ４との合計の厚さ寸法Ｔ（＝Ｔ０＋Ｔ１＋Ｔ２＋Ｔ３＋Ｔ４）とを必ず必要とするものである。さらに、見た目上、それぞれの加飾層間で奥行き感が感じられる程度まで位置を調節する必要があり、各加飾層の厚さが薄い場合には、厚さ以上に距離を離す必要が生じ、必然的に、全体として厚肉なものとなり、薄型化の要請に全く応えられないものであった。
【０００８】
従って、本発明の目的は、前記問題を解決することにあって、薄型であってかつ三次元的な意匠を呈することができる加飾転写シートを提供することにある。
【課題を解決するための手段】
【０００９】
前記目的を達成するために、本発明は以下のように構成する。
【００１０】
本発明の第１態様によれば、不透明反射層と、
前記不透明反射層上に配置された透明樹脂層と、
前記透明樹脂層上に部分的に配置された印刷加飾層とを備え、
前記印刷加飾層は、
光遮蔽材料で構成されて前記透明樹脂層上に部分的に配置され、影を前記不透明反射層の表面上に形成可能な第１影形成部と、
前記第１影形成部との光透過率の差が少なくとも１０％以上であり、かつ、前記透明樹脂層上に部分的に配置され、前記透明樹脂層を透過する光により前記第１影形成部で形成される前記影よりも薄い影を前記不透明反射層の前記表面上に形成可能なように光が透過する光透過材料で構成された第２影形成部とを有するとともに、
前記第１影形成部と前記第２影形成部と前記不透明反射層とは同系色であり、
前記第１影形成部と前記第２影形成部とは、前記透明樹脂層内で前記不透明反射層の前記表面と平行な１つの平面上に配置されるとともに、
前記第１影形成部と前記第２影形成部とが交差する部分において、前記第１影形成部に対して前記第２影形成部が途切れるように配置している、加飾転写シートを提供する。
【００１１】
本発明の第２態様によれば、前記第１影形成部と前記第２影形成部と前記不透明反射層とは同系色であり、
前記第１影形成部と前記第２影形成部とは、前記透明樹脂層内で前記不透明反射層の前記表面と平行な１つの平面上に配置されるとともに、
前記第１影形成部と前記第２影形成部とが交差する部分において、前記第１影形成部に対して前記第２影形成部が途切れるように配置している構成により、前記第１影形成部が前記第２影形成部よりも前記不透明反射層の前記表面に対して、前記第１影形成部が前記第２影形成部から浮き出て見える、第１の態様に記載の加飾転写シートを提供する。
【００１２】
本発明の第３態様によれば、前記第１影形成部と前記第２影形成部と前記不透明反射層とは白色の同系色であり、前記不透明反射層は白色の不透明反射層である、第１又は２の態様に記載の加飾転写シートを提供する。
【００１４】
本発明の第４態様によれば、前記第１影形成部は、白色隠蔽層付きのパール加飾層と、白色加飾層と、グレー色加飾層とを有するとともに、前記第２影形成部は、薄パール加飾層と、乳白色加飾層とを有し、
前記白色隠蔽層付きのパール加飾層は、パール層の底部に白色隠蔽層を有し、前記透明樹脂層の前記１つの平面上に部分的に配置され、前記不透明反射層の前記表面上に第１影を形成して、最も手前側に位置するように見え、
前記白色加飾層は、前記透明樹脂層の前記１つの平面上に部分的に配置され、白色インキにより構成して光遮蔽機能を発揮し、前記不透明反射層の前記表面上に第２影を形成して、二番目に手前側に位置するように見える層であり、
前記グレー色加飾層は、前記透明樹脂層の前記１つの平面上に部分的に配置され、グレー色のインキにより構成して光遮蔽機能を発揮し、前記不透明反射層の前記表面上に第３影を形成して、三番目に手前側に位置するように見える層であり、
前記薄パール加飾層は、前記透明樹脂層の前記１つの平面上に部分的に配置され、光透過材料で構成された薄いパール色の層であり、光透過機能を発揮し、前記不透明反射層の前記表面上に第４影を形成して、前記グレー色加飾層より奥側に位置するように見える層であり、
前記乳白色加飾層は、前記透明樹脂層の前記１つの平面上に部分的に配置され、光透過材料で構成された乳白色の層であり、光透過機能を発揮し、前記不透明反射層の前記表面上に第５影を形成して、最も奥側に位置するように見える層であるとともに、
前記第１影と前記第２影と前記第３影は実質的に同等の濃さであるか、又は、前記グレー色加飾層の前記第３影が最も濃く、前記パール加飾層の前記第１影と前記白色加飾層の前記第２影とは同じ濃さ程度であり、明度としては、前記パール加飾層が最も高く、次いで、前記白色加飾層で、次に前記グレー色加飾層の順に高い、第１〜３のいずれか１つの態様に記載の加飾転写シートを提供する。
本発明の第５態様によれば、前記第１影形成部は、白色加飾層と、グレー色加飾層とを有するとともに、前記第２影形成部は、乳白色加飾層とを有し、
前記白色加飾層は、前記透明樹脂層の前記１つの平面上に部分的に配置され、白色インキにより構成して光遮蔽機能を発揮し、前記不透明反射層の前記表面上に第２影を形成して、最も手前側に位置するように見える層であり、
前記グレー色加飾層は、前記透明樹脂層の前記１つの平面上に部分的に配置され、グレー色のインキにより構成して光遮蔽機能を発揮し、前記不透明反射層の前記表面上に第３影を形成して、二番目に手前側に位置するように見える層であり、
前記乳白色加飾層は、前記透明樹脂層の前記１つの平面上に部分的に配置され、光透過材料で構成された乳白色の層であり、光透過機能を発揮し、前記不透明反射層の前記表面上に第５影を形成して、最も奥側に位置するように見える層であるとともに、
前記第２影と前記第３影は実質的に同等の濃さであるか、又は、前記グレー色加飾層の前記第３影が前記白色加飾層の前記第２影より濃く、明度としては、前記白色加飾層が前記グレー色加飾層よりも高い、第１〜３のいずれか１つの態様に記載の加飾転写シートを提供する。
【００１５】
本発明の第６態様によれば、前記第１影形成部は、白色隠蔽層付きのパール加飾層と、グレー色加飾層とを有するとともに、前記第２影形成部は、薄パール加飾層とを有し、
前記白色隠蔽層付きのパール加飾層は、パール層の底部に白色隠蔽層を有し、前記透明樹脂層の前記１つの平面上に部分的に配置され、前記不透明反射層の前記表面上に第１影を形成して、最も手前側に位置するように見え、
前記グレー色加飾層は、前記透明樹脂層の前記１つの平面上に部分的に配置され、グレー色のインキにより構成して光遮蔽機能を発揮し、前記不透明反射層の前記表面上に第３影を形成して、二番目に手前側に位置するように見える層であり、
前記薄パール加飾層は、前記透明樹脂層の前記１つの平面上に部分的に配置され、光透過材料で構成された薄いパール色の層であり、光透過機能を発揮し、前記不透明反射層の前記表面上に第４影を形成して、最も奥側に位置するように見える層であるとともに、
前記第１影と前記第３影は実質的に同等の濃さであるか、又は、前記グレー色加飾層の前記第３影が前記パール加飾層の前記第１影よりも濃く、明度としては、前記パール加飾層が前記グレー色加飾層よりも高い、第１〜３のいずれか１つの態様に記載の加飾転写シートを提供する。
【発明の効果】
【００１７】
本発明によれば、前記第１影形成部と前記第２影形成部と前記不透明反射層とは同系色とすることにより、不透明反射層の前記表面上にそれぞれ形成される前記第１影形成部の影と前記第２影形成部の影とを同様な色とした上で、第１影形成部で形成される影よりも薄い影を第２影形成部で形成し、かつ、前記第１影形成部に対して前記第２影形成部が途切れるように配置している。この結果、第２影形成部の影よりも濃い影を形成する第１影形成部が第２影形成部よりも不透明反射層に対して浮き出て見え、かつ、前記第１影形成部に対して前記第２影形成部が途切れるように配置しているため、あたかも前記第１影形成部の下側を前記第２影形成部がくぐっているかのように見える。よって、全体として、前記第１影形成部と前記第２影形成部とを同一面上に配置しているにもかかわらず、前記第１影形成部が前記第２影形成部よりも前記不透明反射層に対して浮き出て見え、奥行き感のある意匠を醸し出すことができる。
【図面の簡単な説明】
【００１８】
【図１】本発明の一実施形態にかかる加飾転写シートの転写層が成形樹脂に転写された加飾品の平面図である。
【図２Ａ】図１の前記加飾転写シートの前記転写層が前記成形樹脂に転写された加飾品のＡ−Ａ線の断面図である。
【図２Ｂ】転写前の前記加飾転写シート自体の断面図である。
【図３】図１の前記加飾転写シートの前記転写層が前記成形樹脂に転写された加飾品において、目の錯覚で、実際に見た人が感じる、Ａ−Ａ線の仮想断面構造の図である。
【図４】本発明の別の実施形態にかかる加飾転写シートの転写層が成形樹脂に転写された加飾品の平面図である。
【図５Ａ】図４の前記加飾転写シートの前記転写層が前記成形樹脂に転写された加飾品のＡ−Ａ線の断面図である。
【図５Ｂ】図４の前記加飾転写シートの前記転写層が前記成形樹脂に転写された加飾品のＢ−Ｂ線の断面図である。
【図６】図４の前記加飾転写シートの前記転写層が前記成形樹脂に転写された加飾品において、目の錯覚で、実際に見た人が感じる、Ａ−Ａ線の仮想断面構造の図である。
【図７】転写前の前記加飾転写シート自体の断面図である。
【図８】成形樹脂に転写した直後でベースフィルムを剥離させるときの前記加飾転写シートの転写層と成形樹脂とを有する加飾品の断面図である。
【図９】従来の化粧板シートの断面図である。
【図１０】従来の射出成形同時加飾品の断面図である。
【発明を実施するための形態】
【００１９】
以下、図面を参照して本発明における実施形態を詳細に説明する。
【００２０】
（第１実施形態）
本発明の第１実施形態にかかる加飾転写シート１１は、図２Ｂに示すように、ベースフィルム６上に、転写層１１ｇとして、剥離層５と、剥離層５上に配置された印刷加飾層４とを備えて構成されている。
【００２１】
このような加飾転写シート１１は、公知の転写工程により、転写層１１ｇとしての剥離層５と印刷加飾層４とが成形樹脂（不透明反射層２と透明樹脂層３）に転写されたのち、図２Ａに示すように、ベースフィルム６が剥離層５から剥離されて、加飾品１を形成することができる。
【００２２】
このようにして形成される加飾品１は、図１及び図２Ａに示すように、不透明反射層２と、前記不透明反射層２上に配置された透明樹脂層３と、前記透明樹脂層３内に配置された印刷加飾層４とを少なくとも備えて構成されている。
【００２３】
透明樹脂層３及び印刷加飾層４のさらに外側には、図２Ａに一点鎖線で示すように、透明樹脂層３及び印刷加飾層４を保護するために、ハードコート層５を配置するようにしてもよい。なお、図２Ａにおいて剥離層５が最外面に配置された場合には、剥離層としての機能の他に、ハードコート層としての機能も備えており、ハードコート層５と称することもできる。
【００２４】
不透明反射層２は、光を透過せず反射することにより、不透明反射層２よりも外側に配置される印刷加飾層４の各加飾層の影を、不透明反射層２の表面２ａ上に確実に形成可能とするものである。また、不透明反射層２の色は各加飾層の色と同化しないようにすることにより、立体感を損なわないようにするのが好ましい。不透明反射層２の一例としての不透明樹脂としては、ＡＢＳ、又は、ＰＣ−ＡＢＳ樹脂などが挙げられる。
【００２５】
透明樹脂層３は、不透明反射層２の表面２ａ上に形成されて、透明樹脂層３内において、印刷加飾層４の各加飾層が、不透明反射層２の表面２ａと平行な、ある１つの平面（例えば、透明樹脂層３の外面３ｂ）上に形成されるものである。透明樹脂層３は、不透明反射層２の意匠部形成領域の全面に配置されるのが好ましい。この意匠部形成領域に、印刷加飾層４が形成される。透明樹脂層３の一例としての透明樹脂としては、ポリメタクリル酸メチル（ＰＭＭＡ）、又は、ポリカーボネート（ＰＣ）などが挙げられる。
【００２６】
透明樹脂層３の厚さとしては、０．５ｍｍ〜２ｍｍが好ましい。透明樹脂層３の厚さが０．５ｍｍ未満であると、影が明確に形成しにくくなり、立体感（奥行き感）を出しにくい。透明樹脂層３の厚さが２ｍｍを越えると、印刷加飾層４の各加飾層で形成される影がぼやけてしまい、奥行き感が出にくくなるとともに、加飾転写シート１１の全体として薄肉よりも厚肉な感じがしてしまい、好ましくない。
【００２７】
前記印刷加飾層４は、第１影形成部２１と第２影形成部２２とを少なくとも有しており、不透明反射層２の表面２ａに対して同一の距離に位置するように、不透明反射層２の表面２ａに平行な透明樹脂層３内の同一面上に第１影形成部２１と第２影形成部２２とが形成されている。
【００２８】
第１影形成部２１は、光遮蔽材料で構成され、前記透明樹脂層３上に部分的に配置され、認識容易な影２１ｓを前記不透明反射層２の表面２ａ上に形成可能な層である。すなわち、第１影形成部２１が光遮蔽材料で構成されているため、光が第１影形成部２１を透過せず、光により第１影形成部２１の影２１ｓを前記不透明反射層２の表面２ａ上に、はっきりと、濃い影として形成することができる。
【００２９】
第２影形成部２２は、光透過材料で構成され、前記透明樹脂層３上に部分的に配置され、前記透明樹脂層３を透過する光により前記第１影形成部２１で形成される影２１ｓよりも認識困難な影２２ｓを前記不透明反射層２の表面２ａ上に形成可能な層である。すなわち、第２影形成部２２が光透過材料で構成されているため、光が第２影形成部２２を透過し、光により第２影形成部２２の影２２ｓを前記不透明反射層２の表面２ａ上に、ぼんやりとした、明瞭でない、薄い影として形成することができる。
【００３０】
簡単に言えば、第１影形成部２１は、不透明反射層２の表面２ａに濃い影２１ｓを形成する一方、第２影形成部２２は、不透明反射層２の表面に薄い影２２ｓを形成するものであるため、第１影形成部２１は濃い影形成部として機能し、第２影形成部２２は薄い影形成部として機能する。
【００３１】
濃い影２１ｓを形成するためには、加飾層での隠蔽性を高くすればよい一方、逆に、薄い影２２ｓを形成するためには、隠蔽性を低くすればよい。この実施形態では、加飾層と加飾層で形成する影との同化を防ぐため、加飾層の明度としては、ある程度高くすることが好ましい。つまり、明度が高く隠蔽のできるインキを加飾層に使用する場合、その加飾層の影を、よりはっきりと認識することができる。また、濃い影と薄い影はなるべく接近させるか、若しくは、接していたほうが、両者の差異を明確に認識できて、立体感を感じさせることができて、好ましい。
【００３２】
また、一例として、第１影形成部２１の透過率が４０％以下であるとき、第２影形成部２２の透過率が５０％以上であるのが好ましい。言い換えれば、第１影形成部２１と第２影形成部２２との光透過率の差としては、少なくとも１０％以上あれば、第１影形成部２１と第２影形成部２２との差を明確に認識することができて、好ましい。
【００３３】
また、印刷加飾層４と不透明反射層２とは同系色とし、かつ、印刷加飾層４の前記第１影形成部２１と前記第２影形成部２２と同士も同系色である。すなわち、前記第１影形成部２１と前記第２影形成部２２と前記不透明反射層とは同系色である。背景の樹脂（不透明反射層２）の色と、印刷加飾層４の色とが近しい色のほうが、立体感を感じやすいためである。例えば、印刷加飾層４と不透明反射層２とを白色系統（例えば、濃い白、乳白色、濃いグレー、薄いグレー、パール色、薄いパール色など）とするのが好ましい。もちろん、本発明は白色系統に限定されるものではなく、例えば、白に近い色、黄色、薄いピンク色、水色などの系統でも可能であるし、漆黒ほど黒くは無くかつ影を認識できる程度の黒色でも可能である。
【００３４】
不透明反射層２と第１影形成部２１とは、可能な限り近い色でかつ明度が高いほうが望ましい。その理由は、第１影形成部２１により不透明反射層２上に影を形成するとき、よりはっきりと、影を認識できるためである。
【００３５】
一例として、印刷加飾層４と不透明反射層２とを白色系統とする場合、前記第１影形成部２１と前記第２影形成部２２とはそれぞれ白色の加飾層とグレーの加飾層とするか、パール色の層と薄いパール色の層とすることができる。
【００３６】
さらに、前記第１影形成部２１と前記第２影形成部２２とが意匠的に重なる部分（例えば、第１影形成部２１の線状部分と前記第２影形成部２２の線状部分とが交差する部分）（以下、単に「交差する部分」と称する。）２９において、前記第１影形成部２１の線状部分に対して前記第２影形成部２２の線状部分が途切れるように配置して、あたかも、前記第１影形成部２１の線状部分の下側に前記第２影形成部２２の線状部分が配置されてる（前記第１影形成部２１の線状部分の下側を前記第２影形成部２２の線状部分がくぐっている）かのように見せるように構成している（図３の２９ａ参照）。
【００３７】
前記したような構成とすることにより、印刷加飾層４と不透明反射層２とが同系色であり、かつ、印刷加飾層４の前記第１影形成部２１と前記第２影形成部２２と同士も同系色であるため、全体として落ち着いた感じが感じられ、色の差よりも、同系色間での濃淡の差、言い換えれば、立体感に注意が注がれやすくなり（影の差違が目立ちやすくなり）、立体感をより感じやすくなる。
さらに、前記第１影形成部２１の影２１ｓが前記第２影形成部２２の影２２ｓよりも濃く、不透明反射層２の表面２ａ上に形成されているため、図３に仮想的に示すように、第１影形成部２１が第２影形成部２２よりも浮き出ているかのように錯覚して見える。さらに、前記交差する部分２９が存在することにより、不透明反射層２の表面２ａ上に対する前記第１影形成部２１と前記第２影形成部２２との厚さ方向の配置関係が明確に認識可能となり、前記第２影形成部２２よりも前記第１影形成部２１が手前側に（表面側に）位置しているように見える効果がある。この３つの効果が相乗的に作用して、実際には、前記不透明反射層２の表面２ａに対する前記第１影形成部２１と前記第２影形成部２２との厚さ方向の位置の差は無いにもかかわらず、人の目に錯覚が生じて、前記不透明反射層２の表面２ａに対して、前記第１影形成部２１が前記第２影形成部２２よりも浮き出て見える。この結果、全体として薄肉であるにもかかわらず、立体的な意匠を醸し出すことが可能となる。
【００３８】
なお、図３は、実際の構造である図２Ａとは異なり、人の目で見た感覚を基に、人が認識する断面構造を仮想的に記載したものである。この図３のように、印刷加飾層４と不透明反射層２とが同系色であること、異なる影形成部２１，２２間で影２１ｓ，２２ｓに明確な濃淡の差があることと、２つの影形成部２１，２２間で交差部分２９があることの３つの相乗的な効果により、第１影形成部２１と前記第２影形成部２２とが同一面上に形成されているにもかかわらず、第１影形成部２１又は前記第２影形成部２２の厚さ以上に奥行き感が感じられて、薄型であってかつ三次元的な意匠を呈することができる。
【００３９】
特に、従来のように、第１影形成部２１の厚さと前記第２影形成部２２の厚さとの差、又は、第１影形成部２１の厚さ方向の位置と前記第２影形成部２２の厚さ方向の位置との差に基づいて立体感を醸し出そうとする場合と比較して、全体の厚さを大幅に小さくすることができ、薄肉でかつ立体感あふれる意匠を形成することができる。
【００４０】
１つの具体例としては、第１影形成部２１のインクの厚さは１μｍ、前記第２影形成部２２のインクの厚さは１μｍ、透明樹脂層３の樹脂の厚さは１ｍｍ、不透明反射層２の樹脂の厚さは１ｍｍであり、全体の厚みとしては、約２ｍｍである。これは、大型サイズの場合の例であり、携帯電話などの小型サイズの具体例としては、第１影形成部２１のインクの厚さは１μｍ、前記第２影形成部２２のインクの厚さは１μｍ、透明樹脂層３の樹脂の厚さは０．８ｍｍ、不透明反射層２の樹脂の厚さは０．７ｍｍであり、全体の厚みとしては、約１．５ｍｍである。
【００４１】
このように前記第１実施形態においては、影の濃淡と同系色との組み合わせに関して、印刷加飾層４の加飾層と加飾層で形成される影との同化を防ぐため、加飾層としては、なるべく明度が高い（明度がおおよそ８５％〜９０％以上の）色で形成するのがよい。
【００４２】
また、濃い影と薄い影とはなるべく接近させるか、若しくは、接するように、第１影形成部２１と第２影形成部２２とを配置して、濃い影と薄い影との濃淡の差を、より明確に認識できるようにするのが好ましい。このように配置することにより、第１影形成部２１と第２影形成部２２との間での立体感をより明確に感じやすくすることができる。
【００４３】
さらに、加飾層同士において、同色の柄がなるべく１箇所に固まらず、他の色の柄と複雑に重なり合っているほうが好ましい。このように配置することにより、それらの加飾層同士において、立体感をより明確に感じやすくすることができる。
【００４４】
また、従来、風景画では、遠近感を出すため、手前の対象物の彩度を高く描き、奥の対象物の彩度を下げ、明度を高く描くという手法があった。これに対して、前記第１実施形態では、そのような手法によるのではなく、加飾層自体の明度と、加飾層により不透明反射層２に形成される影とを有機的に利用し、視覚的に立体感を感じやすくして、加飾層の厚さ以上の立体感を感じやすくしたものである。
【００４５】
この第１実施形態にかかる加飾転写シート１１では、化粧板又は成形同時加飾インサートフィルムのように、最表面に厚いコーティング又はフィルムが無いため、印刷加飾層４の絵柄（意匠）が対象物（成形樹脂品）の最表面に転移させることができる。そのため、印刷加飾層４の各加飾層の影が不透明反射層２に形成された場合、立体感（透明樹脂の上に浮かんでいる感じ）を強く認識することができる。また、転写であるため、製品の総厚みを薄くすることができる。
【００４６】
また、前記第１実施形態によれば、前記第１影形成部２１と前記第２影形成部２２と前記不透明反射層２とは同系色とすることにより、前記第１影形成部２１と前記第２影形成部２２との濃淡の差に注目しやすくした状態で、目の錯覚を利用して、不透明反射層２の表面２ａ上に前記第１影形成部２１により、認識しやすい濃い影２１ｓを形成して不透明反射層２の表面２ａから浮き出た位置に配置されているように見せる一方、不透明反射層２の表面２ａ上に前記第２影形成部２２により、認識しにくい薄い影２２ｓを形成して不透明反射層２の表面２ａに対して沈んだ位置に配置されているように見せることができる。さらに、前記第１影形成部２１の線状部分と前記第２影形成部２２の線状部分との交差部分２９で、前記第１影形成部２１の線状部分に対して前記第２影形成部２２の線状部分が途切れるように配置している。
【００４７】
この結果、第２影形成部２２の影２２ｓよりも認識容易な影２１ｓを形成する第１影形成部２１が第２影形成部２２よりも不透明反射層２の表面２ａに対して浮き出て見え、かつ、前記第１影形成部２１の線状部分に対して前記第２影形成部２２の線状部分が途切れるように配置しているため、あたかも前記第１影形成部２１の線状部分の下側を前記第２影形成部２２の線状部分がくぐっているかのように見える。
【００４８】
よって、前記第１影形成部２１と前記第２影形成部２２とを同一面上に透明樹脂層３内に配置しているにもかかわらず、図３に示すように、前記第１影形成部２１が前記第２影形成部２２よりも前記不透明反射層２に対して浮き出て見え、奥行き感のある意匠を醸し出すことができる。
【００４９】
（第２実施形態）
次に、本発明の第１実施形態にかかる加飾転写シート１１をより具体化した第２実施形態にかかる加飾転写シート１１Ａについて、図４〜図８に基づいて、以下説明する。
【００５０】
加飾転写シート１１Ａは、図７に示すように、ベースフィルム６上に、転写層１１Ａｇとして、剥離層５と、剥離層５上に配置された印刷加飾層４とを備えて構成されている。
【００５１】
このような加飾転写シート１１Ａは、公知の転写工程により、転写層１１Ａｇとしての剥離層５と印刷加飾層４とが成形樹脂（不透明反射層２と透明樹脂層３）に転写されたのち、図８に示すように、ベースフィルム６が剥離層５から剥離されて、加飾品１Ａを形成することができる。なお、図８では、剥離層５が最外面に配置されて、剥離層としての機能の他に、ハードコート層としての機能も備えており、ハードコート層５と称することもできる。
【００５２】
このようにして形成される加飾品１Ａは、不透明反射層２と、前記不透明反射層２上に配置された透明樹脂層３と、前記透明樹脂層３内の不透明反射層２の表面２ａと平行な、ある１つの平面（例えば、透明樹脂層３の外面３ｂ）上に配置された印刷加飾層４Ａと、透明樹脂層３及び印刷加飾層４Ａのさらに外側に配置されたハードコート層５とを備えて構成されている。
【００５３】
ハードコート層５は、透明樹脂層３及び印刷加飾層４Ａを保護するためのものである。
【００５４】
前記印刷加飾層４Ａは、白色隠蔽層付きのパール加飾層３１と、白色加飾層３２と、グレー色加飾層３３と、薄パール加飾層３４と、乳白色加飾層３５とで構成されており、全て、白色の同系色で構成されている。不透明反射層２は白色である。不透明反射層２の白色は各加飾層の色と同化しないようにすることにより、立体感を損なわないようにするのが好ましい。
【００５５】
白色隠蔽層付きのパール加飾層３１又はその他の加飾層と不透明反射層２との白色は、同化した方が影を認識しやすいので、白色隠蔽層付きのパール加飾層３１又はその他の加飾層と不透明反射層２との間での明度差は、無いほうが好ましい。ただし、白色隠蔽層付きのパール加飾層３１の場合、パールの光沢が白よりも目に入りやすいため、より手前に見える効果を生み出す。
【００５６】
白色隠蔽層付きのパール加飾層３１は、パール層３１ａの底部に白色隠蔽層３１ｂを有するものであり、透明樹脂層３上に部分的に配置され、不透明反射層２の表面２ａ上に影が最も認識容易に形成されて、最も手前側に位置するように見える層である。白色隠蔽層付きのパール加飾層３１は、パール層３１ａの底部に白色隠蔽層３１ｂを有することにより、光遮蔽機能を発揮することが可能となる。よって、白色隠蔽層付きのパール加飾層３１は、光遮蔽材料で構成された第１影形成部２１の一例として機能することができる。
【００５７】
パール加飾層３１の構成材料の一例としては、薄片状雲母粒子に酸化チタン又は酸化鉄などの金属酸化物をコートしたものが挙げられる。
【００５８】
白色加飾層３２は、透明樹脂層３上に部分的に配置され、白色インキにより構成するため、光遮蔽機能を発揮することが可能となり、不透明反射層２の表面２ａ上に影３２ｓが認識容易に形成されて、二番目に手前側に位置するように見える層である。よって、白色加飾層３２も、光遮蔽材料で構成された第１影形成部２１の別の例として機能することができる。
【００５９】
グレー色加飾層３３は、透明樹脂層３上に部分的に配置され、グレー色のインキにより構成するため、光遮蔽機能を発揮することが可能となり、不透明反射層２の表面２ａ上に影３３ｓがやや認識容易に形成されているが、影３３ｓの色とグレー色加飾層３３自体の色とが同じであるため、さほど浮いて見えず、三番目に手前側に位置するように見える層である。よって、グレー色加飾層３３も、光遮蔽材料で構成された第１影形成部２１のさらに別の例として機能することができる。
【００６０】
ここで、パール加飾層３１の影と白色加飾層３２の影とグレー色加飾層３３の影については、実質的に同等の濃さである。又は、グレー色加飾層３３の影が最も濃く、パール加飾層３１の影と白色加飾層３２の影とは同じ濃さ程度である。グレー色加飾層３３は白色よりも隠蔽性が高く、影も濃く形成されやすいからである。一方、明度としては、パール加飾層３１が最も高く、次いで、白色加飾層３２で、次にグレー色加飾層３３の順に高い。このことから、加飾層自体の明度と影の濃さとが相乗的に組み合わさって、視覚的には、パール加飾層３１の影が最も認識容易となり、パール加飾層３１が最も手前に配置されているように見える。次いで、白色加飾層３２の影が認識容易となり、白色加飾層３２がパール加飾層３１に次いで手前に配置されているように見える。よって、グレー色加飾層３３が最も奥側に配置されているように見える。
【００６１】
薄パール加飾層３４は、透明樹脂層３上に部分的に配置され、隠蔽層は無く、光透過材料で構成された薄いパール色の層であるため、光透過機能を発揮することが可能となり、不透明反射層２の表面２ａ上に影３４ｓが認識しにくく（薄く）形成されて、より奥側に位置するように見える層である。よって、薄パール加飾層３４は、光透過材料で構成された第２影形成部２２の一例として機能することができる。
【００６２】
薄パール加飾層３４の構成材料の一例としては、薄片状雲母粒子に酸化チタン又は酸化鉄などの金属酸化物をコートしたものが挙げられ、パール加飾層３１よりも、希釈剤の量が多く、含有量が少ない。
【００６３】
乳白色加飾層３５は、透明樹脂層３上に部分的に配置され、光透過材料で構成された乳白色の層であるため、光透過機能を発揮することが可能となり、不透明反射層２の表面２ａ上に影３５ｓが最も認識しにくく（薄く）形成されて、最も奥側に位置するように見える層である。よって、乳白色加飾層３５も、光透過材料で構成された第２影形成部２２の別の例として機能することができる。
乳白色加飾層３５の構成材料としては、白い顔料インキを希釈剤で薄めたものが挙げられる。
【００６４】
ここで、薄パール加飾層３４の影と乳白色加飾層３５の影とは、濃淡の差はあまりなく、明度としては、薄パール加飾層３４が、乳白色加飾層３５よりも高い。よって、視覚的に、薄パール加飾層３４が、乳白色加飾層３５よりも手間側に見えることになる。
【００６５】
簡単に言えば、白色隠蔽層付きのパール加飾層３１で形成される影３１ｓが最も認識容易に形成され、白色加飾層３２で形成される影３２ｓが次に認識容易に形成され、グレー色加飾層３３で形成される影３３ｓがその次に認識容易に形成され、薄パール加飾層３４で形成される影３４ｓが認識やや困難に形成され、乳白色加飾層３５で形成される影３５ｓが最も認識困難に形成されている。この結果、これらの５層が立体的に配置されているように視覚的に見える。
【００６６】
透過率の一例としては、白色隠蔽層付きのパール加飾層３１の透過率は３５％、白色加飾層３２の透過率は４１％、グレー色加飾層３３の透過率は３６％、薄パール加飾層３４の透過率は７４％、乳白色加飾層３５の透過率は５９％である。
【００６７】
さらに、各加飾層同士が意匠的に重なる部分（各加飾層の線状部分同士が交差する部分）では、白色隠蔽層付きのパール加飾層３１と、白色加飾層３２と、グレー色加飾層３３と、薄パール加飾層３４と、乳白色加飾層３５との順に、優先的に配置されるように構成している。すなわち、例えば、白色隠蔽層付きのパール加飾層３１と白色加飾層３２との交差部分２９では、図４及び図５Ｂに示すように、白色隠蔽層付きのパール加飾層３１に対して白色加飾層３２が途切れるように配置して、あたかも、白色隠蔽層付きのパール加飾層３１の線状部分の下側に白色加飾層３２の線状部分が配置されてる（白色隠蔽層付きのパール加飾層３１の下側を白色加飾層３２がくぐっている）かのように見せるように構成している。同様に、白色加飾層３２とグレー色加飾層３３との交差部分２９では、白色加飾層３２に対してグレー色加飾層３３が途切れるように配置して、あたかも白色加飾層３２の下側をグレー色加飾層３３がくぐっているかのように見せるように構成している。同様に、グレー色加飾層３３と薄パール加飾層３４との交差部分２９では、グレー色加飾層３３に対して薄パール加飾層３４が途切れるように配置して、あたかもグレー色加飾層３３の下側を薄パール加飾層３４がくぐっているかのように見せるように構成している。同様に、薄パール加飾層３４と乳白色加飾層３５との交差部分２９では、薄パール加飾層３４に対して乳白色加飾層３５が途切れるように配置して、あたかも薄パール加飾層３４の下側を乳白色加飾層３５がくぐっているかのように見せるように構成している。よって、各加飾層同士が交差する部分２９では、白色隠蔽層付きのパール加飾層３１と、白色加飾層３２と、グレー色加飾層３３と、薄パール加飾層３４と、乳白色加飾層３５との順において、上位の加飾層と下位の加飾層とが交差する部分では、上位の加飾層に対して下位の加飾層が途切れるように配置して、あたかも上位の加飾層の下側を下位の加飾層がくぐっているかのように見せるように構成している。
【００６８】
特に、手前側から奥側に向けて、白色隠蔽層付きのパール加飾層３１と、白色加飾層３２と、グレー色加飾層３３と、薄パール加飾層３４と、乳白色加飾層３５との順において、順位付けで配置されるとき、上位の加飾層とその上位の加飾層のすぐ下位の加飾層とが交差する部分をそれぞれ必ず形成することにより、上位の加飾層と下位の加飾層との順位付けを明確に視覚的に認識可能なようにするのが好ましい。例えば、一位の加飾層（白色隠蔽層付きのパール加飾層３１）と二位の加飾層（白色加飾層３２）との交差部分と、三位の加飾層（グレー色加飾層３３）と四位の加飾層（薄パール加飾層３４）との交差部分とが配置されているのみでは、二位の加飾層（白色加飾層３２）と三位の加飾層（グレー色加飾層３３）との交差部分が無いため、一位の加飾層（白色隠蔽層付きのパール加飾層３１）と三位の加飾層（グレー色加飾層３３）との厚さ方向の配置関係、及び、一位の加飾層（白色隠蔽層付きのパール加飾層３１）と四位の加飾層（薄パール加飾層３４）との厚さ方向の配置関係が不明となり、立体感が損なわれる可能性がある。よって、立体感を確実に醸し出すためには、一位の加飾層（白色隠蔽層付きのパール加飾層３１）と二位の加飾層（白色加飾層３２）との交差部分と、二位の加飾層（白色加飾層３２）と三位の加飾層（グレー色加飾層３３）との交差部分と、三位の加飾層（グレー色加飾層３３）と四位の加飾層（薄パール加飾層３４）との交差部分と、と四位の加飾層（薄パール加飾層３４）と五位の加飾層（乳白色加飾層３５）との交差部分とを設けて、一位の加飾層（白色隠蔽層付きのパール加飾層３１）、二位の加飾層（白色加飾層３２）、三位の加飾層（グレー色加飾層３３）、四位の加飾層（薄パール加飾層３４）、五位の加飾層（乳白色加飾層３５）の順位付けを視覚的に明確に認識できるようにするのが好ましい。
【００６９】
前記第２実施形態の前記構成によれば、それぞれの加飾層３１〜３５は、実際には、透明樹脂層３内では厚さ方向に位置は異なっていないにもかかわらず、目の錯覚として、厚さ方向にそれぞれの位置が大きく異なっているように、立体感を感じることができる。よって、実際の全体の厚みは非常に薄いものであるにもかかわらず、その厚さ以上に奥行き感を感じて、立体感を感じることができる。これは、加飾層の配色を単なる遠近法的な手法で異ならせただけで得られる立体感とは、全く異質の次元の立体感が得られるものであり、特に、濃い影を形成することができる白色隠蔽層付きのパール加飾層３１と白色加飾層３２とは、薄パール加飾層３４と乳白色加飾層３５と比較して、かなり、浮きで出て見えるものである。
【００７０】
この理由は、第１実施形態でも述べたように、３つの観点が相乗的に作用しているためである。
【００７１】
すなわち、前記印刷加飾層４Ａを構成する、白色隠蔽層付きのパール加飾層３１と、白色加飾層３２と、グレー色加飾層３３と、薄パール加飾層３４と、乳白色加飾層３５と、前記白色の不透明反射層２とは、それぞれ同系色とすることにより、不透明反射層２の表面２ａ上にそれぞれ形成されている。このため、全体として落ち着いた感じが感じられ、色の差よりも、同系色間での濃淡の差、言い換えれば、立体感に注意が注がれやすくなり、立体感をより感じやすくなる。
【００７２】
次に、さらに、白色隠蔽層付きのパール加飾層３１の影３１ｓが最も認識容易に形成され、次に、白色加飾層３２の影３２ｓが認識容易に形成され、次に、グレー色加飾層３３の影３３ｓが認識容易に形成され、次に、薄パール加飾層３４の影３４ｓが認識やや困難に形成され、最後に、乳白色加飾層３５の影３５ｓが最も認識困難に形成されている。このため、図６に仮想的に示すように、目の錯覚により、白色隠蔽層付きのパール加飾層３１が最も大きく浮き出て見え、次に、白色加飾層３２が大きく浮き出て見え、次に、グレー色加飾層３３が浮き出て見え、次に、薄パール加飾層３４がやや沈んで見え、最後に、乳白色加飾層３５が最も沈んで見える。
【００７３】
さらに、前記交差する部分２９が存在することにより、不透明反射層２の表面２ａ上に対する、白色隠蔽層付きのパール加飾層３１と、白色加飾層３２と、グレー色加飾層３３と、薄パール加飾層３４と、乳白色加飾層３５との厚さ方向の配置関係がそれぞれ明確に認識可能となり、手前側から奥側に向けて、白色隠蔽層付きのパール加飾層３１と、白色加飾層３２と、グレー色加飾層３３と、薄パール加飾層３４と、乳白色加飾層３５との順に見える効果がある。
【００７４】
これらの３つの効果が相乗的に作用して、実際には、前記不透明反射層２の表面２ａに対する５つの加飾層３１〜３５の厚さ方向の位置の差は無いにもかかわらず、人の目に錯覚が生じて、前記不透明反射層２の表面２ａに対して、５つの加飾層３１〜３５がそれぞれ厚さ方向の位置が異なって浮き出て見える。この結果、全体として薄肉であるにもかかわらず、立体的な意匠を醸し出すことが可能となる。
【００７５】
（変形例）
なお、本発明は前記実施形態に限定されるものではなく、その他種々の態様で実施できる。
【００７６】
第２実施形態においては、前記第１影形成部２１として、白色隠蔽層付きのパール加飾層３１と、白色加飾層３２と、グレー色加飾層３３とを有するとともに、前記第２影形成部２２は、薄パール加飾層３４と、乳白色加飾層３５とを有するものとして説明しているが、これに限定されるものではない。例えば、白色隠蔽層付きのパール加飾層３１と薄パール加飾層３４とを省略して、前記第１影形成部２１は、白色加飾層３２と、グレー色加飾層３３とを有するとともに、前記第２影形成部２２は、乳白色加飾層３５とを有するように構成してもよい。又は、白色加飾層３２と乳白色加飾層３５とを省略して、前記第１影形成部２１は、白色隠蔽層付きのパール加飾層３１と、グレー色加飾層３３とを有するとともに、前記第２影形成部２２は、薄パール加飾層３４とを有するように構成してもよい。
【００７７】
例えば、各加飾層の形状として、線状のパターン形状の方が、影がはっきりと出やすく、より立体感を醸し出しやすくなる。しかしながら、本発明は、線状のパターンに限定されるものではなく、ドット形状など他の形状でも適用可能である。
【００７８】
特に、各加飾層のパターンの輪郭としては、明確でシャープな輪郭であれば、ぼやけた輪郭を有する場合と比較して、影が明確に形成しやすいため、立体感を醸し出しやすくなる。
【００７９】
影を薄く形成する場合には、透過性のあるメタリックの加飾層を形成したり、明度の低いインキで加飾層を形成すればよい。これに対して、影を刻形成する場合には、透過性の無いインキの加飾層、又は、透過性のある加飾層の裏面に隠蔽層を形成したり、明度の他高いインキで加飾層を形成すればよい。
【００８０】
印刷加飾層４又は４Ａにおいて、例えば、印刷加飾層４又は４Ａを形成可能な意匠面の中心部分には薄い柄、周囲部分にははっきりとした柄を配置することにより、より遠近感を出しやすくして、立体感を醸し出しやすくすることもできる。
【００８１】
また、各加飾層の絵柄として、線状部分を細くして影をより明確に形成しやすくするほか、凹凸部分を多数形成して、影をより多く発生させて、より立体感を出しやすくするようにしてもよい。
【００８２】
また、各加飾層の絵柄として、一個一個の加飾層の面積が小さいか又は細い絵柄パターンであると、影の見える面積が大きくなり、より一層、立体感が生じさせることができる。
【００８３】
なお、前記様々な実施形態又は変形例のうちの任意の実施形態又は変形例を適宜組み合わせることにより、それぞれの有する効果を奏するようにすることができる。
【産業上の利用可能性】
【００８４】
本発明にかかる加飾転写シートは、薄型であってかつ三次元的な意匠を呈することができ、各種機器又は設備などの表面に配置可能な加飾転写シート等として有用である。
【符号の説明】
【００８５】
１，１Ａ…加飾品、
２…不透明反射層、
２ａ…表面、
３…透明樹脂層、
４，４Ａ…印刷加飾層、
５…剥離層（ハードコート層）、
６…ベースフィルム、
１１，１１Ａ…加飾転写シート、
１１ｇ…転写層、
２１…第１影形成部、
２１ｓ…第１影形成部の影、
２２…第２影形成部、
２２ｓ…第２影形成部の影、
２９…第１影形成部と前記第２影形成部とが交差する部分、
２９ａ…第１影形成部２１の下側を前記第２影形成部２２がくぐっているかのように見える部分、
３１…白色隠蔽層付きのパール加飾層、
３１ａ…パール層、
３１ｂ…白色隠蔽層、
３２…白色加飾層、
３３…グレー色加飾層、
３４…薄パール加飾層、
３５…乳白色加飾層。
【図１】
0005478985.tif 000002
【図２Ａ】
0005478985.tif 000003
【図２Ｂ】
0005478985.tif 000004
【図３】
0005478985.tif 000005
【図４】
0005478985.tif 000006
【図５Ａ】
0005478985.tif 000007
【図５Ｂ】
0005478985.tif 000008
【図６】
0005478985.tif 000009
【図７】
0005478985.tif 000010
【図８】
0005478985.tif 000011
【図９】
0005478985.tif 000012
【図１０】
0005478985.tif 000013